(57)【要約】【課題】内容物が流動食などでレトルト処理がなされ、容器口部に流動食の塊がある場合でも、スムーズに内容物を注出することが出来るアダプターを提供する。【解決手段】容器２の口部３に螺設され、内周面４に雌ネジ５を有する筒部６と、この筒部６から上方に延びる注出筒７とからなり、この注出筒７には内壁面８から少なくとも注出筒７の口径Ｒの中心までの幅を有するリブ９が設けられており、このリブ９は注出筒７の下端より下方に延びていることで、容器口部３にアダプター１を螺合して行くと、リブ９が口部３内に入り込み、口部３にある内容物２６の塊２７を砕き、注出筒７内を通過できる程度まで小さくし、内容物２７を注出筒７から注出することが出来る。このため、容器口部３に内容物２６の塊２７が出来ていても、スムーズに内容物２６を注出することが出来る。【選択図】  図５
2008050009.tif 000002
【特許請求の範囲】
【請求項１】
容器口部に螺設される注出用のアダプターであって、
該アダプターは内周面に雌ネジを有する筒部と、
該筒部から上方に延びる注出筒とからなり、
該注出筒には内壁面から少なくとも注出筒口径の中心までの幅を有するリブが設けられており、該リブは注出筒の下端より下方に延びていることを特徴とするアダプター。
【請求項２】
前記注出筒には該注出筒内壁側下面から下方に延び、容器口部内周面に密着するインナーリングが形成され、前記リブは該インナーリングの内周面を通って少なくとも筒部下端近傍まで延びている請求項１記載のアダプター。
【請求項３】
前記注出筒には該注出筒内壁側下面から下方に延び、容器口部内周面に密着するインナーリングが形成され、前記リブは該インナーリングの内周面と間隔をおいて、少なくとも筒部下端近傍まで延びている請求項１記載のアダプター。
【請求項４】
前記リブが、アダプターの先端から下方に延びて形成されている請求項１ないし３のいずれか１項記載のアダプター。
【請求項５】
前記リブが、アダプターの下端より下方に延びている請求項１ないし４のいずれか１項記載のアダプター。
【発明の詳細な説明】
【技術分野】
【０００１】
本発明は、流動食パウチなどの容器の口部に螺設するアダプターに関し、より詳しくは、内周面に雌ネジを有する筒部とこれから上方に延びる注出筒とで構成し、この注出筒の内壁面に口部に固まった内容物の塊を砕くリブを設けてなるアダプターに関する。
【背景技術】
【０００２】
アダプターは、その一端を流動食パウチなどの容器の口部に螺設して、他端を様々な径のチューブに差し込み固定し、容器の内容物をチューブを通して人に供給するためのものであり、栄養剤や流動食を充填した容器用として近年多用されている。このようなアダプターは、チューブに差し込み固定する際、差し込み易いこと、ならびに差し込んだ後のチューブ保持力とが要求される。このような要求を叶えたものとして、以下のような技術が知られている。
【特許文献１】特開平１０−５７４５１号公報
【０００３】
この特許文献１のアダプターは、図８に示すように、容器ａの口部ｂに螺設する筒部ｃとこの筒部ｃから上方に延びる注出筒ｄとからなり、この注出筒ｄを５度から２０度のテーパ角を有する先細り円錐台状に形成してなる。このように注出筒ｄを形成することで、チューブｅに差し込み易く、差し込んだ後の保持力が充分あり、したがって、差し込み易く抜け難いアダプターを得ることができる。
【発明の開示】
【発明が解決しようとする課題】
【０００４】
上記特許文献１のアダプターは、容器ａの内容物が液状であり、流動性の高い場合には特に問題となることがない。しかしながら、容器ａの内容物が流動食などでレトルト処理がなされるような場合、熱により容器ａの口部ｂに流動食が乾き固まることがあり、そのような時、その塊がアダプターの注出筒ｄに詰まる虞がある。この注出筒ｄは、５度から２０度のテーパ角を有する先細り円錐台状に形成してあるから、特に先端部分の径が小さく詰まりを回避することが困難である。
【０００５】
そこで、本発明の目的は、内容物が流動食などでレトルト処理がなされ、容器の口部に流動食の塊が出来ているような場合でも、スムーズにその内容物を注出することが出来るアダプターを提供することにある。
【課題を解決するための手段】
【０００６】
本発明は、上記目的を達成するために提案されたものであって、下記の構成からなることを特徴とするものである。
すなわち、本発明によれば、容器口部に螺設される注出用のアダプターであって、該アダプターは内周面に雌ネジを有する筒部と、該筒部から上方に延びる注出筒とからなり、該注出筒には内壁面から少なくとも注出筒口径の中心までの幅を有するリブが設けられており、該リブは注出筒の下端より下方に延びていることを特徴とするアダプターが提供される。
【０００７】
また、本発明によれば、前記注出筒には該注出筒内壁側下面から下方に延び、容器口部内周面に密着するインナーリングが形成され、前記リブは該インナーリングの内周面を通って少なくとも筒部下端近傍まで延びている上記アダプターが提供される。
【０００８】
また、本発明によれば、前記注出筒には該注出筒内壁側下面から下方に延び、容器口部内周面に密着するインナーリングが形成され、前記リブは該インナーリングの内周面と間隔をおいて、少なくとも筒部下端近傍まで延びている上記アダプターが提供される。
【０００９】
また、本発明によれば、前記リブが、アダプターの先端から下端まで形成されているアダプターが提供される。
【００１０】
また、本発明によれば、前記リブが、アダプターの下方に延びて下方に延びているアダプターが提供される。
【発明の効果】
【００１１】
本発明のアダプターは、容器の口部にアダプターの筒部を螺設して行くと、その過程で注出筒に設けてあるリブが容器口部内に入り込み、回転しながら容器口部にある内容物の塊を砕き、注出筒内を通過できる程度まで小さくして、内容物を注出筒から注出可能とする。したがって、内容物が流動食などでレトルト処理がなされ、容器口部に流動食の塊が出来ているような場合でも、スムーズに内容物である流動食を注出することが出来る効果がある。
【００１２】
また、請求項２に規定した本発明のアダプターは、成形性にすぐれており、かつ、シール性を高めるためのインナーリングがある場合でも、リブがインナーリングの内周面を通って少なくとも筒部下端近傍まで延びているため、リブが容器口部内に入り込み、容器口部にある内容物の塊を砕き、注出筒内を通過できる程度まで小さくして、内容物を注出筒から注出可能とする。したがって、インナーリングがあっても、上記効果を達成して内容物をスムーズに注出することが出来る。
【００１３】
また、請求項３に規定した本発明のアダプターは、リブがインナーリングの内周面に間隔をおいて接続されているためにインナーリングによるシール性を一層安定なものにすることができるとともに、リブが容器口部内に入り込み、容器口部にある内容物の塊を砕き、注出筒内を通過できる程度まで小さくして、内容物を注出筒から注出可能とすることができる。
【００１４】
また、請求項４に規定した本発明は、リブがアダプターの先端から下方に延びて形成されているため、アダプターを成形する際、先細りとなる注出筒であってもアンダーカットとなる部分を無くすことが出来るため成形性が良い。
【００１５】
また、請求項５に規定した本発明は、リブがアダプターの下端からさらに延びて形成しているため、容器口部からより深い位置で形成している内容物の塊の砕き損じがなくなり、内容物を注出筒から注出可能とする。したがって、上記効果をより高く達成して、内容物をスムーズに注出することが出来る。
【発明を実施するための最良の形態】
【００１６】
以下に、図面を参照して本発明を実施するための最良の形態を説明する。
【実施例１】
【００１７】
図１は本発明の実施の形態を示すアダプターの縦断面図、図２は同アダプターの平面図
、図３は同アダプターの裏面図、図４は同アダプターを容器口部に螺設した状態の縦断面図である。
これらの図面において、アダプター１は、容器２の口部３に螺設され、内周面４に雌ネジ５を有する筒部６と、この筒部６から上方に延びる注出筒７とからなり、この注出筒７には内壁面８から少なくとも注出筒７の口径Ｒの中心までの幅を有するリブ９が設けられており、このリブ９は注出筒７の下端より下方に延びているものである。
【００１８】
前記容器２は、内容物を充填してあり、その内容物の利用時に口部３にアダプター１を螺設することが出来るものであれば特に限定がなく、どのようなタイプ、材質でも良い。この実施例１では、特に内容物が栄養剤や流動食などであり、レトルト処理がなされて容器２の口部３に流動食の塊が出来る虞のあるレトルトパウチを想定している。
【００１９】
前記筒部６は、その内周面４に雌ネジ５を有し、さらに外周面にすべり止め２０を有して、容器２の口部３にアダプター１を螺設し易くしている。
【００２０】
前記注出筒７は、筒部６から上方に延びる細長い円錐台状に形成され、その外周面に、先端方向に細く、筒部方向に太くなる鋸歯状突起２１を形成して、チューブ２２を嵌めた際抜け難くしている。鋸歯状突起２１は図１に示すように、突起の山は筒部方向に向き、谷が先端方向に向いていることによって、チューブ２２を嵌めた際の抜け難さを担保している。そして、この注出筒７にはその内壁側下面から下方に延び、前記容器２の口部３の内周面に密着するインナーリング２３を形成して、このインナーリング２３と筒部６とでシール部分２４を形成している。したがって、容器２の口部３にアダプター１を螺設した際、このシール部分２４により内容物が漏れるのを有効に防いでいる。
【００２１】
注出筒７には、すでに述べたように、その内壁面８にリブ９が設けられている。このリブ９は、注出筒７の内壁面８から少なくとも口径Ｒの中心までの幅を有し、その長さは注出筒７の先端から下端、さらにその下端より下方に延び前記筒部６の下端まで達している。また、このリブ９の幅は、注出筒７の口径Ｒの少なくとも中心近傍まで達していることが重要であり、中心まで達していないと、容器２の口部３内に形成した内容物の塊に砕き残しが発生し、注出筒７内をスムーズに内容物を通過させることが出来なくなる虞がある。さらに、リブ９の長さは、注出筒７の下端より下方に延び、少なくとも前記インナーリング２３の下端より下方に達していることが重要であり、上述のように筒部６の下端まで達しているのが良い。リブ９がこのように形成されていると、リブ９は容器２の口部３内に形成した内容物の塊まで達するから、内容物の塊を確実に砕くことが出来る。
【００２２】
なお、リブ９の位置から両側に約１２０度隔てた注出筒７の内壁面８に補助リブ２５、２５を設けている。これら補助リブ２５は、容器２の口部３内に形成した内容物の塊の砕きには関与しないが、砕いた後の内容物の塊を注出筒７内を通過させるのを補助する役目を担っている。
【００２３】
次に、上記構成になるアダプター１の利用方法について説明する。
まず、容器口部３にアダプター１の筒部６をあてがい螺合して行くと、リブ９が容器２の口部３内に回転しながら入り込み、口部３内にある内容物２６の塊２７まで達すると塊２７を砕き始める（図５参照）。さらに螺合を進めてリブ９により塊２７を砕いて行くと、ついには容器２の口部３が前記インナーリング２３と筒部６とで構成するシール部分２４に達して、アダプター１の螺設が完成して内容物２６が漏れるのを防ぐと共に、リブ９による内容物２６の塊２７の砕きも終了する。その後、アダプター１の注出筒７にチューブ２２を嵌めれば、容器２の内容物２６を砕いた塊２７と共にアダプター１及びチューブ２２を通り、チューブ２２先の必要箇所に送ることが出来る。
【実施例２】
【００２４】
図６は本発明の他の実施の形態を示すアダプターの縦断面図であり、このアダプター１ａと図１ないし５に示すものとの相違点は、リブ９ａが、アダプター１ａの下端より下方に延び、その結果、容器２の口部３からより深い位置で形成している内容物２６の塊２７までも砕くことが出来、砕き損じがほとんどなくなり、内容物２６を注出筒７から注出することが出来る点にある。実施例２に示したものは、内容物の塊を確実に砕くという点で図１ないし５に示したものよりも好ましい。
その他の構成、作用は、図１ないし５に示すものと同様なので、図面に符号を付してその詳細な説明を省略する。
【実施例３】
【００２５】
図７はさらに本発明の他の実施の形態を示すアダプターの縦断面図であり、このアダプター１ａと図１との相違点は、リブ９がインナーリング２３の内周面と間隔９ｂをおいて、少なくとも筒部６下端近傍まで延びた状態に形成されていることにある。
リブ９がインナーリング２３内周面との間に間隔９ｂが形成されていることにより、インナーリング２３とリブ９の間に弾性が生じ、インナーリングによるシール性が一層安定になる。そのほかは、実施例３に示したものも、内容物の塊を確実に砕くという点で図６に示したものと同様である。
【００２６】
以上、本発明の実施例１、２を説明したが、具体的な構成はこれに限定されず、本発明の要旨を逸脱しない範囲での変更は適宜可能であることは理解されるべきである。
【産業上の利用可能性】
【００２７】
本発明のアダプターは、内容物が様々な原因により、容器口部に内容物の塊が出来ているような場合でも、内容物をスムーズに注出したいような時に、その利用可能性が極めて高くなる。
【図面の簡単な説明】
【００２８】
【図１】本発明の実施例１に示した実施の形態を示すアダプターの縦断面図である。
【図２】同じくアダプターの平面図である。
【図３】同じくアダプターの裏面図である。
【図４】同じくアダプターを容器口部に螺設した状態の縦断面図である。
【図５】同じくアダプターの利用状況を示す縦断面図である。
【図６】本発明の実施例２に示した実施の形態を示すアダプターの縦断面図である。
【図７】本発明の実施例３に示した実施の形態を示すアダプターの縦断面図である。
【図８】アダプターの従来例を示す縦断面図である。
【符号の説明】
【００２９】
１，１ａ                  アダプター
２，ａ                    容器
３，ｂ                    口部
４                        内周面
５                        雌ネジ
６，ｃ                    筒部
７，ｄ                    注出筒
８                        内壁面
９，９ａ                  リブ
９ｂ                      間隔
２０                      すべり止め
２１                      鋸歯状突起
２２，ｅ                  チューブ
２３                      インナーリング
２４                      シール部分
２５                      補助リブ
２６                      内容物
２７                      塊
Ｒ                        口径
【図１】
2008050009.tif 000003
【図２】
2008050009.tif 000004
【図３】
2008050009.tif 000005
【図４】
2008050009.tif 000006
【図５】
2008050009.tif 000007
【図６】
2008050009.tif 000008
【図７】
2008050009.tif 000009
【図８】
2008050009.tif 000010